【手続補正書】
【提出日】平成18年9月21日(2006.9.21)
【手続補正１】
【補正対象書類名】明細書
【補正対象項目名】特許請求の範囲
【補正方法】変更
【補正の内容】
【特許請求の範囲】
【請求項１】  
エネルギー蓄積インダクターを有し、実質的な定負荷を付勢するために使用されるタイプのＤＣ−ＤＣコンバーターの出力電圧を間接的に制御する制御回路において、
ＤＣ電圧源に接続され、周期的なオン・タイムパルスを与えるパルス幅変調器と、
このパルス幅変調器に接続され、前記オン・タイムパルスに応答して、このオン・タイムの間に増加する電流を通電するスイッチ手段と、そして
前記スイッチ手段に流れる電流であって、かつ前記エネルギー蓄積インダクターに流れる電流を検出して検出電圧を発生し、実質的に一定値である直流基準電圧と前記検出電圧とを直接比較して、前記検出電圧が前記直流基準電圧に達した時点で前記周期的なオン・タイムパルスの終了を開始するように結合された検出／比較回路とを有することを特徴とする制御回路。
【請求項２】
前記スイッチ手段が電界効果トランジスタである請求項１に記載の制御回路。
【請求項３】
前記スイッチ手段がセンサーＦＥＴである請求項１に記載の制御回路。
【請求項４】 
前記スイッチ手段がバイポーラ・トランジスタスイッチである請求項１に記載の制御回路。
【請求項５】 
前記検出／比較回路が非反転形増幅回路を有する請求項１に記載の制御回路。
【請求項６】 
実質的な定負荷を付勢するために使用されるＤＣ−ＤＣコンバーターの出力電圧を間接的に制御する制御回路において、
ＤＣ電圧源に接続され、周期的なオン・タイムパルスを与えるパルス幅変調器と、
このパルス幅変調器に接続され、前記オン・タイムパルスに応答して、このオン・タイムの間に増加する電流を通電するスイッチ手段と、
ＤＣ入力電圧を検出するための前記スイッチ手段に結合された回路手段であって、前記回路手段が、前記ＤＣ入力電圧の上昇に伴い傾斜を所定量だけ大きくする傾斜電圧を発生し、実質的に一定値である直流基準電圧と前記傾斜電圧とを直接比較し、前記傾斜電圧が前記直流基準電圧に達した時点で前記周期的なオン・タイムパルスの終了を開始する検出／比較回路であることを特徴とする制御回路。
【請求項７】 
前記スイッチ手段が電界効果トランジスタである請求項６に記載の制御回路。
【請求項８】 
前記スイッチ手段がセンサーＦＥＴである請求項６に記載の制御回路。
【請求項９】 
前記スイッチ手段がバイポーラ・トランジスタスイッチである請求項６に記載の制御回路。
【請求項１０】 
エネルギー蓄積インダクターを有し、実質的な定負荷を付勢するために使用されるタイプのＤＣ−ＤＣコンバーターの出力電圧を間接的に制御する制御方法において、
ＤＣ電圧源に接続され、周期的なオン・タイムパルスを与えるパルス幅変調器と、
このパルス幅変調器に接続され、前記オン・タイムパルスに応答して、このオン・タイムの間に増加する電流を通電するスイッチ手段と
を備えており、そして、
前記スイッチ手段に流れる電流であって、かつ前記エネルギー蓄積インダクターに流れる電流を検出して、
前記検出した電流に比例して検出電圧を生成して、そして、
実質的に一定値である直流基準電圧と前記検出電圧とを直接比較して、更に、
前記検出電圧が前記直流基準電圧に達した時点で前記周期的なオン・タイムパルスの終了を開始することを特徴とする制御方法。
【請求項１１】 
実質的な定負荷を付勢するために使用されるＤＣ−ＤＣコンバーターの出力電圧を間接的に制御する制御方法において、
ＤＣ電圧源に接続され、周期的なオン・タイムパルスを与えるパルス幅変調器と、
このパルス幅変調器に接続され、前記オン・タイムパルスに応答して、このオン・タイムの間に大きな電流を通電するスイッチ手段と
を備えており、そして、
ＤＣ入力電圧を検出し、
前記ＤＣ入力電圧の上昇に伴い傾斜を所定量だけ大きくする傾斜電圧を発生し、
実質的に一定値である直流基準電圧と前記傾斜電圧とを直接比較し、
前記傾斜電圧が前記直流基準電圧に達した時点で前記周期的なオン・タイムパルスの終了を開始することを特徴とする制御方法。
【請求項１２】 
前記検出／比較回路が、
前記スイッチ手段を通過して流れる電流に比例して検出電圧を生成する電流検出手段と、
実質的に一定値である直流基準電圧を生成する基準電圧生成手段と、
前記パルス幅変調器に接続する出力端を有する電圧比較手段と
を備え、
前記電圧比較手段が、前記検出電圧を前記直流基準電圧と直接比較して、前記検出電圧が前記直流基準電圧に達する時点で、前記周期的なオン・タイムパルスの終了を開始する請求項１に記載の制御回路。
【手続補正２】
【補正対象書類名】明細書
【補正対象項目名】０００７
【補正方法】変更
【補正の内容】
【０００７】
【課題を解決するための手段】
即ち、本発明の目的は以下の構成によって達成できる。
（１）エネルギー蓄積インダクターを有し、実質的な定負荷を付勢するために使用されるタイプのＤＣ−ＤＣコンバーターの出力電圧を間接的に制御する制御回路において、
ＤＣ電圧源に接続され、周期的なオン・タイムパルスを与えるパルス幅変調器と、
このパルス幅変調器に接続され、前記オン・タイムパルスに応答して、このオン・タイムの間に増加する電流を通電するスイッチ手段と、そして
前記スイッチ手段に流れる電流であって、かつ前記エネルギー蓄積インダクターに流れる電流を検出して検出電圧を発生し、実質的に一定値である直流基準電圧と前記検出電圧とを直接比較して、前記検出電圧が前記直流基準電圧に達した時点で前記周期的なオン・タイムパルスの終了を開始するように結合された検出／比較回路とを有することを特徴とする制御回路。
（２）実質的な定負荷を付勢するために使用されるＤＣ−ＤＣコンバーターの出力電圧を間接的に制御する制御回路において、
ＤＣ電圧源に接続され、周期的なオン・タイムパルスを与えるパルス幅変調器と、
このパルス幅変調器に接続され、前記オン・タイムパルスに応答して、このオン・タイムの間に増加する電流を通電するスイッチ手段と、
ＤＣ入力電圧を検出するための前記スイッチ手段に結合された回路手段であって、前記回路手段が、前記ＤＣ入力電圧の上昇に伴い傾斜を所定量だけ大きくする傾斜電圧を発生し、実質的に一定値である直流基準電圧と前記傾斜電圧とを直接比較し、前記傾斜電圧が前記直流基準電圧に達した時点で前記周期的なオン・タイムパルスの終了を開始する検出／比較回路であることを特徴とする制御回路。
（３）エネルギー蓄積インダクターを有し、実質的な定負荷を付勢するために使用されるタイプのＤＣ−ＤＣコンバーターの出力電圧を間接的に制御する制御方法において、
ＤＣ電圧源に接続され、周期的なオン・タイムパルスを与えるパルス幅変調器と、
このパルス幅変調器に接続され、前記オン・タイムパルスに応答して、このオン・タイムの間に増加する電流を通電するスイッチ手段と
を備えており、そして、
前記スイッチ手段に流れる電流であって、かつ前記エネルギー蓄積インダクターに流れる電流を検出して、
前記検出した電流に比例して検出電圧を生成して、そして、
実質的に一定値である直流基準電圧と前記検出電圧とを直接比較して、更に、
前記検出電圧が前記直流基準電圧に達した時点で前記周期的なオン・タイムパルスの終了を開始することを特徴とする制御方法。
（４）実質的な定負荷を付勢するために使用されるＤＣ−ＤＣコンバーターの出力電圧を間接的に制御する制御方法において、
ＤＣ電圧源に接続され、周期的なオン・タイムパルスを与えるパルス幅変調器と、
このパルス幅変調器に接続され、前記オン・タイムパルスに応答して、このオン・タイムの間に大きな電流を通電するスイッチ手段と
を備えており、そして、
ＤＣ入力電圧を検出し、
前記ＤＣ入力電圧の上昇に伴い傾斜を所定量だけ大きくする傾斜電圧を発生し、
実質的に一定値である直流基準電圧と前記傾斜電圧とを直接比較し、
前記傾斜電圧が前記直流基準電圧に達した時点で前記周期的なオン・タイムパルスの終了を開始することを特徴とする制御方法。
好ましくは、上記スイッチ手段として電界効果トランジスタ、センサーＦＥＴまたはバイポーラ・トランジスタスイッチを使用する。また、上記検出／比較回路として非反転形増幅回路を有するものを使用する。
【手続補正３】
【補正対象書類名】明細書
【補正対象項目名】０００８
【補正方法】変更
【補正の内容】
【０００８】
[作用]
出力電圧が入力電圧よりかなり高い定電力ＤＣ−ＤＣ昇圧形コンバーターの場合、出力はインダクターの蓄積されたエネルギーと昇圧形スイッチの動作周波数との積として近似することができる。昇圧形コンバーターによって与えられる電流すべてがＥＬパネル容量になると前提すると、この関係は以下の式によって記述できることになる。
Ｖ（ＯＵＴ）*Ｉ（ＯＵＴ）＝（１／２）*Ｌ*Ｉ（ピーク）**２*ｆ（スイッチ）
以下、これを式１と呼ぶ。ＥＬパネルは、Ｃ（ランプ）*Ｖ（ＯＵＴ）として定義される電荷を各クロックサイクル時に２度これに運ぶ必要があるため、Ｉ（ＯＵＴ）＝（ＥＬランプのブリッジ駆動装置に流入する）Ｉ＝２*ｆ（ランプ ）*Ｃ（ランプ）*Ｖ（ＯＵＴ）となる。以下、これを式２と呼ぶ。式２からＩ（ＯＵＴ）を式１に代入し、Ｖ（ＯＵＴ）について解くと、Ｖ（ＯＵＴ）＝［Ｌ* ｆ（スイッチ）*Ｉ（ピーク）**２／（４*Ｃ（ランプ）*ｆ（ランプ））」**０ ．５となる。ただし、ｆ（ランプ）は、量ｆ（スイッチ）／ｆ（ランプ）が定数Ｋになるように、ｆ（スイッチ）からカウントダウンするものとする。即ち、Ｖ（ＯＵＴ）＝０．５*（Ｋ*Ｌ／Ｃ（ランプ）**０．５*Ｉ（ピーク）が成立する 。以下、これを式３と呼ぶ。なお、ＬおよびＣ（ランプ）の一定値についてＩ（ピーク）を制御することによって、Ｖ（ＯＵＴ）を実質的に制御できる。
【手続補正４】
【補正対象書類名】明細書
【補正対象項目名】０００９
【補正方法】変更
【補正の内容】
【０００９】
【発明の実施の形態】
ここで、ピーク電流制御を使用する、本発明の第１実施例によるＥＬランプ駆動回路の昇圧形コンバーター部分を示す図４について説明する。スイッチＰＷＭ４００は、入力電圧源Ｖ（ＩＮ）か、あるいは他の外部電圧源から誘導することができる電圧Ｖ（ＤＤ）によって付勢する。図４に示した昇圧形コンバーターのオン・オフはスイッチＰＷＭ４００によって制御する。センサーＦＥＴ４０１によって与えられる比例電流信号は、抵抗器４０２を介して供給する。抵抗器４０２に電流が流れると、センサーＦＥＴ４０１に流れる電流を表す電圧を発生する。この電圧を非反転形増幅回路４０３によって増幅し、比較器４０６によって基準電圧４０７と比較する。センサーＦＥＴ４０１に流れる電流が所定のピーク値に達し、比較器４０６が状態変化すると、スイッチＰＷＭ４００によるオン・タイムパルスが終了し、次のクロックパルスがスイッチＰＷＭ４００によって発振されるまで、スイッチＰＷＭ４００がラッチされる。他の回路構成を使用して、上記の電流検出機能を実現することも可能である。一つの定周波数クロック周期間にスイッチＰＷＭ４００が発振するオン・タイムパルスの終了を変調する上記方法は、一般にパルス幅変調（ＰＷＭ）と呼ばれている。この変調方法の場合、入力電圧Ｖ（ＩＮ）の低下に従って、パルス幅デューティサイクルを長くすれば、ライン電圧制御を達成できる。